(57)【要約】【課題】鳥類が休止することができないようにするだけでなく、作業者の作業に支障をきたさないようにした鳥害防止用アークホーンを提供する。【解決手段】この鳥害防止用アークホーンは、碍子連１０の両端部に先端側が近接する方向に傾斜した姿勢で取り付けられた鳥害防止用アークホーンであって、周方向に回転する筒状の回転体５０と回転しない非回転部４２とが軸方向に交互に設けられている。また、縮径した芯体部４１，４１，…を不連続に複数設け、該芯体部４１と芯体部４１との間を拡径した非回転部４２としたロッド４０が備えられ、前記回転体５０が外径を非回転部４２の外径と同一又はほぼ同一として、芯体部４１を外嵌している。【選択図】図１
2011192520.tif 000002
【特許請求の範囲】
【請求項１】
碍子連の両端部に先端側が近接する方向に傾斜した姿勢で取り付けられた鳥害防止用アークホーンであって、
周方向に回転する筒状の回転体と回転しない非回転部とが軸方向に交互に設けられていることを特徴とする鳥害防止用アークホーン。
【請求項２】
縮径した芯体部を不連続に複数設け、該芯体部と芯体部との間を拡径した非回転部としたロッドが備えられ、前記回転体が外径を非回転部の外径と同一又はほぼ同一として、芯体部を外嵌していることを特徴とする請求項１に記載の鳥害防止用アークホーン。
【請求項３】
前記回転体の内面及び下側となる端面の少なくとも一方に１本又は複数本の溝が形成されていることを特徴とする請求項２に記載の鳥害防止用アークホーン。
【請求項４】
均一の外径を有するロッドが備えられ、前記回転体が、ロッドを固定した状態に外嵌する内側筒体と、該内側筒体を間隔を空けて取り囲む外側筒体と、内側筒体と外側筒体との間に配置される転動体とを備えたものとされていることを特徴とする請求項２に記載の鳥害防止用アークホーン。
【発明の詳細な説明】
【技術分野】
【０００１】
本発明は、架空送電線を架設する鉄塔などに固定された碍子連（長幹碍子と懸垂碍子の両方を含む。）に取り付けられ、落雷による碍子連への被害を最小限とするためのアークホーンにおいて、飛来する鳥類によって地絡事故が起きないようにした鳥害防止用アークホーンに関する。
【背景技術】
【０００２】
送電線を架設する鉄塔などには、図４に示すように、碍子連１０が水平姿勢で固定され、この碍子連１０の両端部にアークホーン２０，２０が取り付けられている。アークホーン２０，２０は、基端部２０ａ，２０ａが碍子連１０の各端部に取り付けられ、先端部２０ｂ，２０ｂが近接するように先端側が屈曲されている。落雷時に、アークホーン２０，２０間に雷電流が通電することにより、碍子連１０の破壊が防止される。
【０００３】
そして、１５４ｋＶ以下、特に６６ｋＶや７７ｋＶの送電線では、２本のアークホーン２０，２０の先端部２０ｂ，２０ｂの間隔が短くされている（６６ｋＶでは約４０ｃｍ）。したがって、一般的なアークホーン２０，２０においては、鳥類が飛来して一方のアークホーン２０で休止した後、飛び立つときに、広げた羽や翼が他方のアークホーン２０に接触し、地絡事故を起こすことがある。
【０００４】
そこで、飛来した鳥類に起因する地絡事故が起きないようにした鳥害防止用アークホーンが各種提供されている。
【０００５】
また、特許文献１には、図５に示すように、アークホーン２０にワンタッチ的に、かつ、安定して取り付けられるようにしたアークホーン用鳥害防止具３０についての発明が記載されている。このアークホーン用鳥害防止具３０は、アークホーン２０全体をカバーする基体部材３１の表面にバリヤー棒体３２，３２，…を多数樹立したものとされている。また、基体部材３１とバリヤー棒体３２，３２，…とは、電気絶縁性及び耐候性に優れた合成樹脂で一体成形されている。
【０００６】
そして、基体部材３１は、アークホーン２０の湾曲に副うように湾曲可能な半円筒体で形成され、両端に相互に逆向きとなる断面Ｃ形状の開口を有する挟着部３３，３３が設けられている。このアークホーン用鳥害防止具３０は、挟着部３３，３３の開口が相互に逆向き位置に設けられており、挟着部３３，３３の開口をアークホーン２０の側面に押し付けて嵌挿することで、安定した状態に取り付けられる。そして、バリヤー棒体３２，３２，…によって、鳥類が飛来しても、アークホーン２０で休止することができないようにされている。
【先行技術文献】
【特許文献】
【０００７】
【特許文献１】特開平６−９８４５０号公報
【発明の概要】
【発明が解決しようとする課題】
【０００８】
特許文献１に記載されたアークホーン用鳥害防止具３０は、耐候性に優れた合成樹脂で成形されているものの、経年劣化は避けられず、長年の使用によって挟着部３３がアークホーン２０，２０から脱落することがあり得る。また、作業者がアークホーン２０，２０を掴んで作業したり、身を乗り出して作業したりする場合があるにもかかわらず、特許文献１に記載されたアークホーン用鳥害防止具３０では、多数のバリヤー棒体３２，３２，…が樹立されているため、その作業に支障をきたすものとなっている。
【０００９】
そこで、本発明は、鳥類が休止することができないようにするだけでなく、作業者の作業に支障をきたさないようにした鳥害防止用アークホーンを提供することを課題とする。
【課題を解決するための手段】
【００１０】
本発明に係る鳥害防止用アークホーンは、碍子連の両端部に先端側が近接する方向に傾斜した姿勢で取り付けられた鳥害防止用アークホーンであって、周方向に回転する筒状の回転体と回転しない非回転部とが軸方向に交互に設けられていることを特徴としている。
【００１１】
この鳥害防止用アークホーンによれば、飛来した鳥類がアークホーンで休止しようとしても、回転体が回転することにより、鳥類は、回転体に掴まることができないことから、休止することができない。したがって、この鳥害防止用アークホーンは、鳥類の羽や翼が接触することがないものとされている。そして、この鳥害防止用アークホーンは、作業者が非回転部を掴んで作業することができるものとされている。
【００１２】
また、前記本発明に係る鳥害防止用アークホーンにおいて、縮径した芯体部を不連続に複数設け、該芯体部と芯体部との間を拡径した非回転部としたロッドが備えられ、前記回転体が外径を非回転部の外径と同一又はほぼ同一として、芯体部を外嵌していることことが好ましい。
【００１３】
この鳥害防止用アークホーンによれば、ロッドに芯部が設けられることにより、非回転部と同一又はほぼ同一の外径とされた回転体が芯部を外嵌し、回転体と非回転体とが同一又はほぼ同一の外径で並ぶように配列され、回転体が特に作業者の作業の邪魔になることがないようにされている。
【００１４】
また、前記本発明に係る鳥害防止用アークホーンにおいて、前記回転体の内面及び下側となる端面の少なくとも一方に１本又は複数本の溝が形成されていることが好ましい。
【００１５】
この鳥害防止用アークホーンによれば、回転体とロッドとの間に雨水が浸透しても、雨水が溝を伝って排出され、溜まった雨水が原因で鳥害防止用アークホーンが錆びないようにすることができる。
【００１６】
また、前記本発明に係る鳥害防止用アークホーンにおいて、均一の外径を有するロッドが備えられ、前記回転体が、ロッドを固定した状態に外嵌する内側筒体と、該内側筒体を間隔を空けて取り囲む外側筒体と、内側筒体と外側筒体との間に配置される転動体とを備えたものとされてもよい。
【００１７】
この鳥害防止用アークホーンによれば、回転体は、内側筒体がロッドを外嵌するものとされているため、既存のアークホーンに後付することができるものとされている。そして、転動体を介して外側筒外が内側筒体を回転しているため、内側筒体がロッドを保持した状態で外側筒体が周方向に回転することができるようにされている。
【発明の効果】
【００１８】
本発明によれば、周方向に回転する回転体と回転しない非回転部とを軸方向に交互に設けた鳥害防止用アークホーンが提供されるため、作業者の作業性を低下させることなく、鳥類が休止できないようすることができ、鳥類の羽や翼が鳥害防止用アークホーンに接触しないようにされていることにより、鳥類に起因する地絡事故が発生しないようにすることができる。
【図面の簡単な説明】
【００１９】
【図１】本発明に係る鳥害防止用アークホーンの第１の実施形態を示す概略正面図及び要部を拡大した概略正面図及びさらに要部を拡大した断面正面図である。
【図２】本発明に係る鳥害防止用アークホーンを構成する回転体の変形例を示す概略斜視図である。
【図３】本発明に係る鳥害防止用アークホーンの第２の実施形態を示す要部拡大概略断面正面図である。
【図４】従来のアークホーンの一例を示す正面図である。
【図５】従来のアークホーン用鳥害防止具を示す正面図である。
【発明を実施するための形態】
【００２０】
〔実施の形態１〕
本発明に係る鳥害防止用アークホーンの第１の実施の形態について図１を参照しながら説明する。
【００２１】
この鳥害防止用アークホーンは、２本の変形円柱状のロッド４０，４０の基端部４０ａ，４０ａが碍子連１０の各端部に取り付けられ、先端部４０ｂ，４０ｂが近接するように先端側が屈曲して傾斜姿勢とされている。そして、各ロッド４０は、先端側において、縮径した芯体部４１，４１，…を不連続に複数設け、芯体部４１と芯体部４１との間に拡径した非回転部４２を設けたものとされている。
【００２２】
芯体部４１及び非回転部４２は、全て同じ長さとされ、等間隔に設けられているが、長さを変更したり、間隔を不均等にしたりしてもよい。また、芯体部４１と非回転部４２とは、同じ長さとしてもよいし、異なる長さとしてもよい。
【００２３】
いずれにしても、各芯体部４１には、周方向に回転する筒状の回転体５０が外嵌される。回転体５０の内径は、芯体部４１の外径よりもわずかに大きく、回転体５０が周方向に回転することができるようにされている。また、回転体５０の外径は、非回転部４２の外径と同一又はほぼ同一とされている。また、回転体５０は、各端面から長さ方向の中間部の方に次第に拡径するいわゆる太鼓形状としてもよい。
【００２４】
このような回転体５０は、樹脂又はロッド４０と同じ材質によって成形される。ロッド４０及び回転体５０がステンレス鋼で成形される場合は、雨水が両者間に溜まって錆が生じないようにするため、図２に示すように、回転体５０の内面及び下側の端面に溝５１，５２を形成し、雨水が溝から排出するようにすることが好ましい。なお、図示しないが、溝５１，５２は、回転体５０の内面のみ、又は下側の端面にのみ形成してもよい。
【００２５】
また、図示しないが、回転体５０の内面に多数の疣々状の突起を設けることによって、回転体５０とロッド４０との間に雨水が溜まらないようにするとともに、回転体５０とロッド４０との摩擦抵抗を低減し、回転体５０がスムーズに回転するようにしてもよい。
【００２６】
また、回転体５０が弾性変形することができる材質によって成形されているときは、両端面間に亘るスリット（図示せず）が形成され、このスリットを拡開して芯体部４１に嵌め込み、その後、スリットが狭まるようにして回転体５０を芯体部４１に取り付けてもよい。
【００２７】
あるいは、ロッド４０が芯体部４１と非回転部４２とを別体で成形され、直列に組み付けるようにしてもよい。この場合、非回転部４２の一方又は両方の端面に芯体部４１の先端部を嵌め込む軸孔（図示せず）を形成してもよい。そして、芯体部４１の少なくとも先端部に雄ネジ（図示せず）を形成し、非回転部４２の軸孔に雌ネジ（図示せず）を形成し、両ネジが螺合することによって、芯体部４１と非回転部４２とを一体化してもよいし、ネジを形成することなく、接着剤によって一体化してもよい。
【００２８】
いずれにしても、芯体部４１は、回転体５０よりも長く形成され、芯体部４１と非回転部４２とを一体化していない状態において、回転体５０が芯体部４１を外嵌し、その後、芯体部４１の先端部を非回転部４２の軸孔に嵌め込むことによって組み立てられる。したがって、この回転体５０は、スリット（図示せず）を形成していないものとすることができる。
【００２９】
そして、この第１の実施形態の鳥害防止用アークホーンは、鳥類が飛来し、回転体５０で休止しようとすると、回転体５０が回転するため、鳥類は休止することができない。したがって、この鳥害防止用アークホーンは、鳥類の羽や翼が接触しないため、鳥類に起因する地絡事故が起きないものとされている。
【００３０】
また、作業者は、この鳥害防止用アークホーンの非回転部４２を掴んで作業することができ、さらに、身を乗り出して作業しても、突き刺さるような棒体が樹立されていないことから、この鳥害防止用アークホーンは、作業者に危険を及ぼさないものとされている。
【００３１】
なお、この鳥害防止用アークホーンは、落雷時に２本の鳥害防止用アークホーン間に雷電流が通電することによって碍子連１０が破壊されないという本来の機能を損ねないことはいうまでもない。
【００３２】
〔実施の形態２〕
本発明に係る鳥害防止用アークホーンの第２の実施の形態について図３を参照しながら説明する。この鳥害防止用アークホーンは、既設のアークホーンに後付することができるようにされている。
【００３３】
そのため、この鳥害防止用アークホーンは、既設のアークホーンを、均一の外径を有するロッド６０として使用する。そして、ロッド６０に複数の回転体７０，７０，…が取り付けられる。回転体７０と回転体７０との間で露出しているロッドが非回転部６２とされる。
【００３４】
そして、回転体７０は、ロッド６０を固定した状態に外嵌する内側筒体７１と、この内側筒体７１を間隔を空けて取り囲む外側筒体７２と、内側筒体７１と外側筒体７２との間に配置される複数の転動体７３，７３，…とを備えたものとされている。したがって、この回転体７０は、ベアリングのように構成され、外側筒体７２が転動体７３上を円滑に回転する。
【００３５】
また、内側筒体７１は、半割にされた部材を円筒状に組み合わせたり、ベルトをロッド６０に巻き付けたりすることによってロッド６０に固定される。そして、外側筒体７２は、内面側に転動体７３を収納する凹部を設けたものとされ、半割にされた部材を組み合わせて円筒状にされる。
【００３６】
また、外側筒体７２が滑り落ちないように、内側筒体７１の下端側端縁に外向きのフランジ（図示せず）を設け、あるいは、内側筒体７１外周であって、転動体７３と干渉しない位置に、小さな突起又はフランジ（いずれも図示せず）を設け、外側筒体７２にこの突起又はフランジを嵌める溝（図示せず）を形成したものとしてもよい。
【００３７】
また、外側筒体７２は、図示したように、凹部を設ける中間部が拡径し、両端側が次第に縮径するようないわゆる太鼓形状とされ、あるいは、図示しないが全長に亘って同じ外径とされる。
【００３８】
なお、第２の実施形態の鳥害防止用アークホーンも、当然、新たに製造することができ、この場合は、内側筒体７１や外側筒体７２は、半割でなく、円筒状のものとし、ロッド６０が内側筒体７１を貫通するようにして組み立てることができる。
【００３９】
そして、この第２の実施形態の鳥害防止用アークホーンも、鳥類が飛来し、回転体７０に休止しようとしても、回転体７０が回転するため、鳥類は休止することができない。したがって、この鳥害防止用アークホーンは、鳥類に起因する地絡事故が起きないものとされている。
【００４０】
また、外側筒体７２が太鼓形状とされていると、作業者の手が外側筒体７２に当たっても、食込むことがないため、作業者は不快感が与えられないようにされている。逆に、全長に亘って同じ外径とされた外側筒体７２は、作業者の手にくい込む状態となるため、作業者の手が滑らないようにすることができる。
【００４１】
いずれにしても、作業者がこの鳥害防止用アークホーンの非回転部４２を掴んで作業することができるだけでなく、身を乗り出して作業しても、突き刺さるような棒体が樹立されていないことから、この鳥害防止用アークホーンは、作業者の安全性を確保するものされている。
【００４２】
なお、この鳥害防止用アークホーンは、落雷時に２本の鳥害防止用アークホーン間に雷電流が通電することによって碍子連１０が破壊されないという本来の機能を損ねないことはいうまでもない。
【００４３】
〔他の実施形態〕
本発明は、前記の実施形態に限定することなく種々変更することができる。鳥害防止用アークホーンは、例えば、第１の実施形態で説明した回転体５０と第２の実施形態で説明した回転体７０とを組み合わせてもよいし、傾斜した先端側だけでなく全長に亘って回転体５０，７０と非回転部４２，６２を設けてもよい。
【００４４】
また、一方の鳥害防止用アークホーンとして一方の実施形態で説明した回転体５０，７０を設け、他方の鳥害防止用アークホーンとして他方の実施形態で説明した回転体７０，５０を設けてもよい。さらに、第１及び第２の実施形態の回転体５０の表面に、作業者が掴んでも障害とならなない程度の低い突起（図示せず）を多数設けたものとしてもよい。
【符号の説明】
【００４５】
１０…碍子連
４０…ロッド
４１…芯体部
４２…非回転部
５０…回転体
５１…溝
５２…溝
６０…ロッド
６２…非回転部
７０…回転体
７１…内側筒体
７２…外側筒体
７３…転動体
【図１】
2011192520.tif 000003
【図２】
2011192520.tif 000004
【図３】
2011192520.tif 000005
【図４】
2011192520.tif 000006
【図５】
2011192520.tif 000007